(57)【要約】【課題】納骨堂の湿度を抑えて結露を防ぎ、清潔で耐久性が高い墓石を提供する。【解決手段】地面１２に設置される根太石１６と、根太石１６の上に載置され内側の空間が納骨堂３４となりこの納骨堂３４に連通する開口部３８が側面に設けられた唐戸１８を備える。開口部３８の上縁部に連続し側方へ突出する板状のマグサ６６と、開口部３８の略垂直な側縁部に沿って位置した一対の方立て６８を備える。マグサ６６の上面から方立て６８に沿って下方に延出し根太石１６の下方の地面に連通する垂直水路８２と、垂直水路８２に連通され根太石１６と唐戸１８の境界部分を納骨堂３４に沿って一周する水平水路４５を備える。納骨堂３４の内側面に沿って、石灰岩等の多孔質の素材で作られた内板５６を備える。納骨堂３４内側面に付いた水分を、水平水路４５及び垂直水路５１，８２を経て排出する。【選択図】図１
2009084916.tif 000002
【特許請求の範囲】
【請求項１】
地面に設置される根太石と、前記根太石の上に載置され内側の空間が納骨堂となりこの納骨堂に連通する開口部が側面に設けられた唐戸と、前記開口部の上縁部に連続し側方へ突出する板状のマグサと、前記開口部の略垂直な側縁部に沿って位置した一対の方立てが設けられ、前記マグサの上面から前記方立てに沿って下方に延出し前記根太石の下方の地面に連通する垂直水路と、前記垂直水路に連通され前記根太石と前記唐戸の境界部分を前記納骨堂に沿って一周する水平水路が設けられ、前記納骨堂内側面に付いた水分を前記水平水路及び垂直水路を経て排出可能としたことを特徴とする墓石。
【請求項２】
前記垂直水路は、前記マグサの前記唐戸との連設面に形成された溝部が下方に向かって延出し、次に前記方立ての前記唐戸との連設面に形成された溝部に連通し、前記根太石に形成された骨壷納骨穴を下方にむかって通過して地面に連続し、前記水平水路は、前記唐戸と前記根太石の連接面に互いに対向する溝部を切り欠いて形成されていることを特徴とする請求項１記載の墓石。
【請求項３】
地面に設置される根太石と、前記根太石の上に載置され内側の空間が納骨堂となりこの納骨堂に連通する開口部が側面に設けられた唐戸が設けられ、前記納骨堂の内側面に沿って内板が設けられ、前記内板は多孔質の素材で作られ吸放湿性を有し結露を抑えることを特徴とする墓石。
【請求項４】
前記納骨堂の内側面と、前記内板の間には、空間である通気部が設けられていることを特徴とする請求項３記載の墓石。
【請求項５】
前記内板は石灰岩で作られていることを特徴とする請求項３記載の墓石。
【請求項６】
前記納骨堂には、前記内側面に設けられ前記通気部と外気を連通する換気口が設けられ、前記内板の前記換気口に対向する面には撥水加工が施されていることを特徴とする請求項３記載の墓石。
【発明の詳細な説明】
【技術分野】
【０００１】
この発明は、内部に骨壷を収納する納骨堂を有する墓石に関する。
【背景技術】
【０００２】
従来、納骨堂を有する墓石は、地面に設置される根太石の上に、順番に唐戸、石板、中台、上台、石塔が積み重ねられ、各部材はセメント等の接着剤で固定されている。また、唐戸の内側には空間が設けられ、この空間は納骨堂となっている。唐戸の一側面には、納骨堂に連通する開口部が形成され、開口部の上縁部にはマグサが設けられ、この開口部には、扉が備えられている。
【０００３】
しかし、従来の墓石は各積石がセメントにより接着されているため、経年により雨水がこのセメントの回り若しくは内部に侵入し、冬期に凍結して氷の膨張により、徐々にセメントの付着力が低下していた。セメントの付着力が低くなると墓石の連結強度や耐震性が損なわれるという問題があった。
【０００４】
これを解決するために、特許文献１に開示された墓石は、根太石の上面に上向きに突出した立上部が形成され、立上部の側面と唐戸の側面との間に、隙間が形成されている。これにより、根太石と唐戸の間から水が浸入しても、立上部で止められ、墓石の内側に侵入することがない。これにより、墓石の耐久性を向上させることができ、雨水が浸入しないことから、根太石に穿設された骨壷納骨穴に雨水がたまることを防ぐものである。
【特許文献１】特許第２７２９１４６号
【発明の開示】
【発明が解決しようとする課題】
【０００５】
上記従来の技術の場合、雨水の浸入による影響を抑えることができるが、納骨堂の湿度を低く抑えることができず、結露による水分の浸入を抑えることはできなかった。納骨堂は根太石の骨壷納骨穴が地面に連通しているため、地面の水分により内側の湿度が高くなり、雑菌が繁殖して不衛生となり、石が黒ずんでよごれたりする。また、昼と夜の温度差により納骨堂に結露を生じ、墓石を接着するセメント等を傷めるという問題もあった。
【０００６】
この発明は、上記従来の技術の問題点に鑑みてなされたものであり、納骨堂の湿度を抑えて結露を防ぎ、清潔で耐久性が高い墓石を提供することを目的とする。
【課題を解決するための手段】
【０００７】
本発明は、地面に設置される根太石と、前記根太石の上に載置され内側の空間が納骨堂となりこの納骨堂に連通する開口部が側面に設けられた唐戸と、前記開口部の上縁部に連続し側方へ突出する板状のマグサと、前記開口部の略垂直な側縁部に沿って位置した一対の方立てが設けられている墓石であり、前記マグサの上面から前記方立てに沿って下方に延出し前記根太石の下方の地面に連通する垂直水路と、前記垂直水路に連通され前記根太石と前記唐戸の境界部分を前記納骨堂に沿って一周する水平水路が設けられ、前記納骨堂内側面に付いた水分を前記水平水路及び垂直水路を経て排出可能とした墓石である。
【０００８】
また、前記垂直水路は、前記マグサの前記唐戸との連設面に形成された溝部が下方に向かって延出し、次に前記方立ての前記唐戸との連設面に形成された溝部に連通し、前記根太石に形成された骨壷納骨穴を下方にむかって通過して地面に連続している。前記水平水路は、前記唐戸と前記根太石の連接面に互いに対向する溝部を切り欠いて形成されている。
【０００９】
また本発明は、墓石の内部空間である納骨堂と、前記納骨堂の内側面に沿って取り付けられた内板が設けられ、前記内板は多孔質の素材で作られ、吸放湿性を有し結露を抑えるようにした墓石である。また、前記納骨堂の内側面と、前記内板の間には、空間である通気部が設けられている。前記内板は石灰岩で作られている。
【００１０】
また、前記納骨堂には、前記内側面に設けられ前記通気部と外気を連通する換気口が設けられ、前記内板の前記換気口に対向する面には撥水加工が施されている。
【発明の効果】
【００１１】
本発明の墓石は、簡単な構造で密閉された納骨堂の湿度を抑えて結露を防ぎ、雑菌の繁殖や汚れを防ぎ、衛生的できれいな状態を維持することができる。また、結露を排出し水分による石材接合部の剥離を防ぐことができ、墓石の耐久性が高いものである。
【発明を実施するための最良の形態】
【００１２】
以下、この発明の実施形態について図面に基づいて説明する。図１、図２はこの発明の一実施形態を示すもので、この実施形態の墓石１０は、例えば公家型と呼ばれる種類のものである。整地した地面１２に、所定大きさの穴部１４を形成し、穴部１４を跨ぐように根太石１６が設置されている。根太石１６の上には、唐戸１８、注台２０、角台２２、蓮華２６、石塔２８が順次積み重ねられている。
【００１３】
根太石１６は矩形に形成され、根太石１６の中央には、図示しない骨壷が収容される骨壷納骨穴３０が設けられている。骨壷納骨穴３０は、根太石１６の上面１６ａから下面１６ｂに貫通する四角筒状であり、地面１２の穴部１４に開口されている。骨壷納骨穴３０の内周面は、４つの内側面３１が設けられている。
【００１４】
根太石１６の上面１６ａに対してほぼ直角に設けられた外側の４側面のうち、一つは正面１６ｃである。根太石１６の上面１６ａには、正面１６ｃ側を除いて骨壷納骨穴３０をコの字形に囲む溝部３２が設けられている。溝部３２は、水平水路４５となるものであり、骨壷納骨穴３０の内側面３１から僅かな一定間隔で外側に離れて、内側面３１に対して並行に形成されている。
【００１５】
骨壷納骨穴３０には、根太石１６の正面１６ｃ側に位置する内側面３１に、垂直方向の角部に沿って、垂直水路５１となる溝部３３が設けられている。垂直水路５１となる溝部３３と、水平水路４５となる溝部３２は、互いに直角に連通している。
【００１６】
唐戸１８は、上面１８ａより下面１８ｂが大きい角錐台状の六面体である。唐戸１８の内側には、下面１８ｂに開口し根太石１６の骨壷納骨穴３０に連通する空間である納骨堂３４が形成されている。納骨堂３４は、上面１８ａに貫通しない四角筒状に形成され、根太石１６の骨壷納骨穴３０に連続している。唐戸１８の上面１８に対して交差する外側の４つの側面のうち、根太石１６の正面１６ｃに連通する側面は正面１８ｃである。骨壷納骨穴３０の、正面１６ｃ側以外の内周面は、根太石１６の内側面３１に連続する３つの内側面３６が設けられている。残りの一方は唐戸１８の正面１８ｃに位置し、唐戸１８を貫通する開口部３８が形成されている。納骨堂３４の、内側面３６の上端には、天井部４０が形成されている。
【００１７】
唐戸１８の下面１８ｂには、正面１８ｃ側を除いて納骨堂３４をコの字形に囲む溝部４２が設けられている。溝部４２は根太石１６の溝部３２に対向して形成され、図３、図４、図９に示すように、溝部３２，４２が連通して水平水路４５が設けられている。唐戸１８の、正面１８ｃと反対の背面１８ｄには、納骨堂３４と外気を連通する換気口４７が設けられている。換気口４７の一部は、根太石１６の中を通過して外気に連通している。
【００１８】
図３、図４に示すように、根太石１６の骨壷納骨穴３０と、唐戸１８の納骨堂３４は上下に連通した空間となる。先ず骨壷納骨穴３０には、根太石１６の正面１６ｃに近い内側面３１を除く３つの内側面３１に、石灰岩製の内板４４がそれぞれ重ねられて取り付けられている。内板４４は、根太石１６の上面１６ａよりも僅かに下の位置から下面１６ｂの横を通過して地面１２の穴部１４に入り、穴部１４の底に達している。内板４４は、内側面３１との間に一定間隔はなれて取り付けられ、内板４４と内側面３１の間は通気部５３となる。
【００１９】
図５に示すように、穴部１４の底には、底石４６がほぼ水平に設けられている。底石４６の中心には、円形の穴部４８が設けられている。骨壷納骨穴３０の、根太石１６の正面１６ｃ側には、図６に示すように内板４４を押える押え部材４９が設けられている。押え部材４９は、骨壷納骨穴３０の溝部３３に浅く嵌合されて上下方向に取り付けられる長尺部材である。押え部材４９は、長手方向に交差する断面形状はＬ字形であり、一方の辺４９ａは、溝部３３を閉鎖し、他方の辺４９ｂは内側面３１と所定間隔はなれて平行に位置している。溝部３３の、押え部材４９の辺４９ａに閉鎖された空間は垂直水路５１となる。押え部材４９の押え部材４９ｂと内側面３１の間には、内板４４の端部が差し込まれ係止されている。
【００２０】
図７に示すように、内板４４の上端部４４ａには、棚板５０が設けられている。棚板５０は、内板４４に対してほぼ直角に上端部４４ａに載せられ、棚板５０には、中心よりも正面１６ｃから離れた位置に、小さい円形の穴部５２が設けられている。穴部５２の正面１６ｃ側には、棚板５０の端部から穴部５２近傍に達する半円状の切欠部５４が形成されている。棚板５０の上面５０ａは、根太石１６の上面１６ａとほぼ一致している。棚板５０の上面５０ａよりも上方の空間は唐戸１８の納骨堂３４となる。
【００２１】
棚板５０の上面５０ａには、納骨堂３４の３個の内側面３６に重ねられて取り付けられる内板５６がそれぞれ設けられている。納骨堂３４の天井部４０にも、内板５６が重ねられて取り付けられている。内板５６は、内側面３６、天井部４０との間に一定間隔はなれて取り付けられ、内板５６と内側面３６または、内板５６と天井部４０の間は通気部５３となる。
【００２２】
内側面３６同士の角部には、図３に示すように内板５６の端部を押える押え部材５８が設けられている。内側面３６と天井部４０の間の角部にも押え部材５８が設けられている。押え部材５８は、各角部に沿って取りつけられる長尺部材であり、長手方向に交差する断面形状はほぼ直角三角形で、一対の鋭角の角部には押え溝６０が設けられている。押え溝６０には、内板５６の端部が差し込まれて係止される。また押え部材５８の、納骨堂３４の内側に向かう傾斜面６２には、装飾部６４が描かれている。
【００２３】
内板４４，５６のうち、図９に示すように唐戸１８の背面１８ｄ側に位置するものは、外側面５６ａが換気口４７に対向し、外側面５６ａに撥水加工５７が施されている。
【００２４】
唐戸１８の、開口部３８の上縁部には、開口部３８の上縁部に連続し側方へ突出する板状のマグサ６６が設けられ、開口部３８の両脇には、方立て６８が設けられている。方立て６８は根太石１６の上面１６ａに立設された一対の板状であり、方立て６８の上端部はマグサ６６の下面１６ｂに当接し、マグサ６６を支持している。開口部３８には、両開きの扉７０，７２が開閉自在に設けられている。マグサ６６の上面６６ａには、花立て７４と香立て７６が置かれている。
【００２５】
図７、図８に示すように、唐戸１８の開口部３８の水平方向の両端部には、方立て６８の端部６８ａが差し込まれている。端部６８ａの開口部３８内壁に当接する角部は矩形の溝部７８が形成されている。溝部７８には、納骨堂３４側から内板５６が差し込まれている。内板５６は、溝部７８の約半分程度の深さに達し、コーキングボンド８０で溝部７８と唐戸１８に水密に接着されている。溝部７８の、残りの約半分程度の深さの空間は、垂直水路８２となる。
【００２６】
垂直水路８２の上端部は、マグサ６６の上面６６ａに開口され、垂直水路８２の下端部は、根太石１６の垂直水路５１に連通され、根太石１６の下方の地面１２に連通されている。また、垂直水路８２と垂直水路５１の境界線付近で、水平水路４５が垂直水路５１，８２に連通されている。
【００２７】
次にこの墓石１０の作用について説明する。墓石１０の骨壷納骨穴３０と納骨堂３４は密閉されているため、一日の気温の変化で湿度が変化する。湿度が高くなったとき、骨壷納骨穴３０の石灰岩製の内板４４と納骨堂３４の内板５６が吸湿して湿度を一定に保つ。骨壷納骨穴３０と納骨堂３４が乾燥したときは、逆に放湿する。外気の気温が急に低下した場合、内板４４，５６の吸湿性能を超えて骨壷納骨穴３０の内側面３１や納骨堂３４の内側面３６や天井部４０に結露した場合、内側面３１，３６や天井部４０に付いた水滴が通気部５３内を下方に向かって流れ、地面１２の穴部１４に落ち、排水される。また、納骨堂３４の結露の一部は水平水路４５に落ち、水平水路４５から垂直水路８２に集められ、地面１２の穴部１４に落ち、排水される。また、マグサ６６の上面６６ａについた雨水は、垂直水路８２，５１を流れて地面１２の穴部１４に排水される。
【００２８】
この実施形態の墓石１０によれば、簡単な構造で骨壷納骨穴３０と納骨堂３４の湿度を調整し、湿気が溜まることによるカビの発生や汚れを防ぐことができる。骨壷納骨穴３０と納骨堂３４を、衛生的できれいな状態に維持することができる。骨壷納骨穴３０、納骨堂３４の内側面３１，３６、天井部４０には吸湿性が高い内板４４，５６が設けられているため、湿度を一定に保つことができる。納骨堂３４の内板５６は、押え部材５８で固定されているためすっきりとし、押え部材５８には装飾部６４が施されて豪華な雰囲気となる。内板４４と内側面３１の間、また内板５６と内側面３６・天井部４０の間には通気部５３が設けられ、断熱性があるため外気の気温の変化の影響を小さくすることができる。また、根太石１６と唐戸１８が外気の気温の低下で冷却されて内側面３１，３６に結露がついても、骨壷納骨穴３０、納骨堂３４に水蒸気となって移動することがなく、確実に通気部５３を下方に流れて排水することができる。内板５６のうち、唐戸１８の背面１８ｄ側に位置するものは、換気口４７に対向する外側面５６ａに撥水加工が施されているため、換気口４７から雨水等が逆流しても内板５６が吸湿することなく、通気部５３に排水することができる。また唐戸１８は、上面１８ａと、正面１８ｃ・背面１８ｄを含む各側面が一体に設けられ、つなぎ目や段差が無く表面が面一に連続しているため、同じ面上で日陰になる部分が無く、側面がほぼ均等な温度になり、雨水等の乾きムラが無く、ポップアウト（水ぶくれ）現象を防ぐことができる。
【００２９】
なお、この発明の墓石は、上記実施形態に限定されるものではなく、各部材の形状や素材等、適宜変更可能である。墓石の外観も公家形以外の異なるタイプのものでもよい。各水路の位置や数は、適宜変更可能である。内板を押える押え部材の構造や装飾部は、適宜変更可能である。内板の素材は、石灰岩以外でもよい。
【図面の簡単な説明】
【００３０】
【図１】この発明の一実施形態の墓石の正面図である。
【図２】この実施形態の墓石の右側面図である。
【図３】この実施形態の墓石の部分破断正面図である。
【図４】この実施形態の墓石の部分破断右側面図である。
【図５】この実施形態の墓石の根太石の平面図である。
【図６】図５のａ部の部分拡大図である。
【図７】この実施形態の墓石の根太石との唐戸の平面図である。
【図８】図７のｂ部の部分拡大図である。
【図９】この実施形成の墓石の水平水路の部分拡大図である。
【符号の説明】
【００３１】
１０  墓石
１２  地面
１６  根太石
１８  唐戸
３０  骨壷納骨穴
３１，３６  内側面
３４  納骨堂
３８  開口部
４４，５６  内板
４５  水平水路
４９  押え部材
５１，８２  垂直水路
６６  マグサ
６８  方立て
【図１】
2009084916.tif 000003
【図２】
2009084916.tif 000004
【図３】
2009084916.tif 000005
【図４】
2009084916.tif 000006
【図５】
2009084916.tif 000007
【図６】
2009084916.tif 000008
【図７】
2009084916.tif 000009
【図８】
2009084916.tif 000010
【図９】
2009084916.tif 000011